(57)【要約】【課題】表面から記録層までの距離が異なる光ディスクの種類判別を短時間に行え、簡易な構成の光ディスク装置を提供する。【解決手段】光ディスク装置１は、透明カバー層２０ｂの厚みが異なる複数種類の光ディスク２０を互換可能である。光ディスク装置１は、光ディスク２０の近傍に配置され、給電されることにより磁場を発生するコイル１２と、コイル１２に加わる圧力を測定する圧力センサ１３と、を備え、コイル１２への給電及び光ディスク２０の回転を実行した場合に、圧力センサ１３で測定される圧力に基づいて光ディスク２０の種類を判別する。【選択図】図１
2008276853.tif 000002
【特許請求の範囲】
【請求項１】
表面から記録層までの距離が異なる複数種類の光ディスクを互換可能な光ディスク装置において、
装置内に挿入された光ディスクの近傍に配置され、給電されることにより磁場を発生するコイルと、
前記コイルに加わる圧力を測定する圧力センサと、を備え、
前記コイルへの給電及び前記光ディスクの回転を実行した場合に、前記圧力センサで測定される圧力に基づいて前記光ディスクの種類を判別することを特徴とする光ディスク装置。
【請求項２】
前記光ディスクが所定の回転となった場合に、前記圧力センサで測定される圧力の大きさによって前記光ディスクの種類を判別することを特徴とする請求項１に記載の光ディスク装置。
【請求項３】
前記光ディスクの回転数を変化させた場合における前記圧力センサで測定される圧力の変化率を用いて前記光ディスクの種類を判別することを特徴とする請求項１に記載の光ディスク装置。
【請求項４】
前記コイルは、前記記録層に対して垂直な方向に磁場を発生するように配置されることを特徴とする請求項１から３のいずれかに記載の光ディスク装置。
【請求項５】
装置内には、前記光ディスクの半径方向に移動する光ピックアップが備えられ、
前記コイル及び前記圧力センサは、前記光ピックアップ上に配置されることを特徴とする請求項１から４のいずれかに記載の光ディスク装置。
【請求項６】
表面から記録層までの距離が異なる複数種類の光ディスクを判別する方法であって、
前記光ディスク近傍に配置されるコイルに給電して磁場を発生させるステップと、
前記光ディスクを回転させるステップと、
前記コイルへの給電及び前記光ディスクの回転が実行された後に、前記コイルに加わる圧力を測定するステップと、
前記圧力測定の結果に基づいて前記光ディスクの種類を判別するステップと、
を具備することを特徴とする光ディスクの判別方法。
【発明の詳細な説明】
【技術分野】
【０００１】
本発明は、光ディスクの再生や記録を行う光ディスク装置に関する。また、本発明は、光ディスクの種類を判別する光ディスクの判別方法に関する。
【背景技術】
【０００２】
コンパクトディスク（以下、ＣＤという。）やデジタル多用途ディスク（以下、ＤＶＤという。）といった光ディスクが普及している。また、最近では、光ディスクの情報量を更に増やすために、光ディスクの高密度化に関する研究が進められ、ブルーレイディスク（以下、ＢＤという。）等の高密度化された光ディスクも実用化されている。
【０００３】
光ディスクの情報の記録や再生は光ディスク装置において行われるが、上述のように光ディスクの種類が複数存在するために、その利便性等を考慮して１台の装置で複数種類の光ディスクを互換できる光ディスク装置が普及するに至っている。こうした光ディスク装置では、一般に装置内に光ディスクが挿入されると、まず、光ディスクの種類の判別を行い、判別結果に基づいて対応する光ディスクに見合った条件に装置の設定を行い、光ディスクの記録や再生を行う。
【０００４】
ところで、光ディスクには記録層を保護する透明カバー層が設けられるが、この透明カバー層の厚みは、例えばＣＤ、ＤＶＤ、ＢＤで異なる（（例えば、ＢＤは０．２ｍｍ、ＤＶＤは０．６ｍｍ、ＣＤは１．２ｍｍとされる。）。このため、従来、この透明カバー層の厚み（光ディスクの表面から記録層までの距離）の異なる光ディスクの種類を判別する技術が種々提案されている。
【０００５】
例えば、特許文献１においては、対物レンズを光ディスクに近づける方向に所定量移動し、この際に得られる光ディスクからの反射光を利用して光ディスクの種類を判別する技術が提案されている。これは、具体的には、光ディスク表面による表面反射から記録層による記録層反射が検出されるまでの時間長を計測して光ディスクの種類を判別するものである。上述のように、例えばＣＤ、ＤＶＤ及びＢＤは透明カバー層の厚みが異なるために、表面反射から記録層反射が検出されるまでの時間長が異なる。従って、この時間長を計測することにより、各光ディスクの種類を判別可能となる。
【０００６】
また、特許文献２においては、コイルを用いて記録層（金属層）に渦電流を発生させ、前記コイルを含むインピーダンスブリッジを用いて、透明カバー層の厚みの違いによってインピーダンスブリッジの平衡が崩される度合いが異なることを利用して光ディスクの種類を判別する技術が提案されている。
【０００７】
また、特許文献３においても、コイルを用いて光ディスクの反射層（記録層）にうず電流を発生させ、距離検出回路により、前記コイルの等価自己インダクタンスを検出することで、前記コイルから反射層の内、うず電流の生じた部位までの距離を求め、検出した距離の大小により光ディスクの種類を判別する技術が提案されている。
【特許文献１】特開２００５−２５９２５２号公報
【特許文献２】特開平１０−１４３９８６号公報
【特許文献３】特開平１０−５５６０１号公報
【発明の開示】
【発明が解決しようとする課題】
【０００８】
しかしながら、特許文献１に紹介される光ディスクの種類を判別する方法（光ディスクの判別方法）の場合、光ディスクの回転が所定の回転数で安定するまで待ち、その後、対物レンズを所定の方向に移動することによって、透明カバー層の厚みの異なる光ディスクを判別する構成であるために、光ディスクの種類を判別するために要する時間が長くなるという問題点を有する。
【０００９】
また、特許文献２や特許文献３に紹介される光ディスクの判別方法の場合には、いずれも光ディスクの判別のために専用のブリッジ回路を構成する必要があり、回路部品の点数増加や、ブリッジ回路の調整が容易でないといった問題点を有する。
【００１０】
以上の点を鑑みて、本発明の目的は、表面から記録層までの距離が異なる光ディスクの種類判別を短時間に行え、簡易な構成の光ディスク装置を提供することである。また、本発明の他の目的は、表面から記録層までの距離が異なる光ディスクの種類判別を短時間に行える光ディスクの判別方法を提供することである。
【課題を解決するための手段】
【００１１】
上記目的を達成するために本発明は、表面から記録層までの距離が異なる複数種類の光ディスクを互換可能な光ディスク装置において、装置内に挿入された光ディスクの近傍に配置され、給電されることにより磁場を発生するコイルと、前記コイルに加わる圧力を測定する圧力センサと、を備え、前記コイルへの給電及び前記光ディスクの回転を実行した場合に、前記圧力センサで測定される圧力に基づいて前記光ディスクの種類を判別することを特徴としている。
【００１２】
この構成によれば、表面から記録層までの距離が異なる光ディスクの種類を判別するにあたって、コイルへの給電及び光ディスクの回転を実行し、それに伴ってコイルに加わる圧力を圧力センサで測定するだけで良い。このために、従来のように光ディスクの回転が所定の回転数で安定するのを待った後に、対物レンズを所定の方向に所定量だけ移動させるという工程が必要でない。従って、表面から記録層までの距離が異なる光ディスクの種類判別を、従来の方法より早く行える光ディスク装置を提供できる。また、ブリッジ回路を形成して、その調整を行う作業も必要ないので、光ディスク装置を判別するための構成を簡易なものとできる。
【００１３】
また、本発明は、上記構成の光ディスク装置において、前記光ディスクの種類判別は、前記光ディスクが所定の回転となった場合に、前記圧力センサで測定される圧力の大きさによって判別する構成としても良いし、また、前記光ディスクの回転数を変化させた場合における前記圧力センサで測定される圧力の変化率によって判別する構成としても良い。      
【００１４】
また、本発明は、上記構成の光ディスク装置において、前記コイルは、前記記録層に対して垂直な方向に磁場を発生するように配置されるのが好ましい。このように構成することによって、コイルで発生する磁力を効率良く使用でき、光ディスクの種類判別を正確に行うことが可能となる。
【００１５】
また、本発明は、上記構成の光ディスク装置において、装置内には、前記光ディスクの半径方向に移動する光ピックアップが備えられ、前記コイル及び前記圧力センサは、前記光ピックアップ上に配置されることとしても良い。このように構成した場合、コイル及び圧力センサを、光ディスクにおける面ブレの状態を検出するために使用することも可能となる。従って、面ブレが大きく光ディスク装置で使用できない状態にある光ディスクを予め発見することができ、再生や記録における無駄を省くことも可能となる。
【００１６】
また、上記目的を達成するために本発明は、表面から記録層までの距離が異なる複数種類の光ディスクを判別する方法であって、前記光ディスク近傍に配置されるコイルに給電して磁場を発生させるステップと、前記光ディスクを回転させるステップと、前記コイルへの給電及び前記光ディスクの回転が実行された後に、前記コイルに加わる圧力を測定するステップと、前記圧力測定の結果に基づいて前記光ディスクの種類を判別するステップと、を具備することを特徴としている。
【００１７】
この構成によれば、表面から記録層までの距離が異なる光ディスクの種類を判別するにあたって、コイルへの給電及び光ディスクの回転を実行した後に、コイルに加わる圧力を測定するだけで良い。このために、従来のように光ディスクの回転が所定の回転数で安定するのを待った後に、対物レンズを所定の方向に所定量だけ移動させるという工程が必要でない。従って、表面から記録層までの距離が異なる光ディスクの種類判別を、従来の方法より早く行える。
【発明の効果】
【００１８】
本発明によれば、表面から記録層までの距離が異なる複数種類の光ディスクを互換可能な光ディスク装置であって、光ディスクの種類判別を短時間に行え、簡易な構成の光ディスク装置を提供可能である。また、本発明によれば、表面から記録層までの距離が異なる光ディスクの種類判別を短時間に行える光ディスクの判別方法を提供可能である。
【発明を実施するための最良の形態】
【００１９】
以下に本発明の内容について図面を参照しながら詳細に説明する。ただし、ここで示す実施形態は一例であり、本発明はここに示す実施形態に限定されるものではない。
【００２０】
まず、図１及び図２を参照しながら本実施形態の光ディスク装置の構成について説明する。ここで、図１は、本実施形態の光ディスク装置の構成を示すブロック図で、図２は、本実施形態の光ディスク装置に備えられる光ピックアップの構成を示す概略平面図である。本実施形態の光ディスク装置１は、光ディスク２０の情報の再生、及び光ディスク２０への情報の記録を可能に設けられており、ＢＤ、ＤＶＤ、及びＣＤの３種類の光ディスクを互換可能となっている。
【００２１】
２は、スピンドルモータであり、光ディスク２０はスピンドルモータ２の上部に設けられるチャック部（図示せず）に着脱可能に保持される。スピンドルモータ２は、光ディスク２０の情報の記録再生を行う際に光ディスク２０を連続回転する。スピンドルモータ２の回転制御は、スピンドルモータ駆動回路３によって行われる。
【００２２】
４は、光ピックアップであり、光源から出射されるレーザ光を光ディスク２０に照射し、光ディスク２０への情報の書き込みと、光ディスク２０に記録されている情報の読み取りを可能とする。光ピックアップ４には、光源（図示せず）と、光源から出射されるレーザ光を光ディスク２０の記録層２０ａに集光する対物レンズ２１と、光ディスク２０で反射されたレーザ光を受光して電気信号に変換する光検出器（図示せず）と、が備えられる。なお、光ピックアップ４には、その他、波面収差を補正する光学素子等が必要に応じて配置される。
【００２３】
また、光ピックアップ４は、図示しない駆動機構によってガイドレール２２に沿って光ディスク２０の半径方向に沿って移動可能となっており、光ディスク装置１によって情報の記録再生を行う際には、光ピックアップ４は、このガイドレール２２に沿って移動しながら情報の読み取りや書き込みを行う。
【００２４】
更に、光ピックアップ４には、光ディスク２０の記録層２０ａと対向する側に、コイル１２と、圧力センサ１３と、が取り付けられている。コイル１２は、光ディスク２０の記録層２０ａと垂直な方向に磁場が生成されるように配置され、コイル駆動回路１４によってその駆動を制御される。圧力センサ１３は、コイル１２に接するように設けられ、コイル１２に加わる圧力を測定可能となっている。このコイル１２及び圧力センサ１３は、光ディスク装置１内に挿入された光ディスク２０の種類を判別する際に使用される。これらを用いて、装置内に挿入された光ディスク２０の種類を判別する方法の詳細については後述する。
【００２５】
レーザ駆動回路５は、光ピックアップ４が備える光源（図示せず）から出射されるレーザ光について、図示しないフロントモニタ用の受光素子で受光される光量によってレーザパワーの制御を行う。また、記録時においては、記録信号に応じて光源の駆動を制御する。
【００２６】
信号処理部６は、光ピックアップ４が備える光検出器（図示せず）から電気信号を供給されて、供給された電気信号の処理を行い、ＲＦ信号、フォーカスエラー信号（ＦＥ信号）、及びトラッキングエラー信号（ＴＥ信号）等を生成する。
【００２７】
スライドモータ駆動回路７は、信号処理部６で生成されるＴＥ信号及びシステム制御部１８からの指令に基づいて、光ピックアップ４が光ディスク２０の半径方向に移動可能となるように設けられる図示しないスライドモータの駆動を制御する。
【００２８】
情報検出回路８は、信号処理部６から供給されるＲＦ信号について波形等化等の処理を行い、光ディスク２０に記録されている情報の読み出しを行い、読み出した情報をデコーダ９に送る。
【００２９】
デコーダ９は、データの復調を行うとともに、データのエラーを検出し、エラーが検出された場合において訂正可能であればデータの訂正処理を行う。デコーダ９で得られた再生データは、インターフェース１５を介してパソコン等の外部機器に出力される。なお、デコーダ９はデータの読み取りエラーの発生割合であるエラーレートをシステム制御部１８に供給する役割も果たす。
【００３０】
サーボ回路１０は、信号処理部６において生成されたＦＥ信号やＴＥ信号に基づいて、フォーカス駆動信号やトラッキング駆動信号等の生成を行う。
【００３１】
対物レンズアクチュエータ駆動回路１１は、サーボ回路１０から供給されるフォーカス駆動信号やトラッキング駆動信号等の信号に基づいて、対物レンズ２１を搭載する対物レンズアクチュエータ（図示せず）の駆動を制御する。これにより、対物レンズアクチュエータは、対物レンズ２１をフォーカス方向及びトラッキング方向に移動してフォーカス制御及びトラッキング制御を行う。
【００３２】
システム制御部１８は、マイクロコンピュータを備えて光ディスク装置１を構成する各部が実行すべき所要の動作に応じて適宜制御処理を実行する。なお、システム制御部１８には、ＲＯＭ（Read Only Memory）１６及びＲＡＭ（Random Access Memory）１７が備えられている。ＲＯＭ１６には、システム制御部１８が各種処理を行う上で必要となる各種のパラメータや動作プラグラムが記憶される。ＲＡＭ１７は、システム制御部１８によるワーク領域として用いられ、また、各種必要な情報の格納領域とされる。
【００３３】
次に、以上のように構成される光ディスク装置１において、装置内に挿入された透明カバー層２０ｂ（図１参照）の厚み（光ディスク２０の表面から記録層２０ａまでの距離）が異なる光ディスク２０の種類を判別する方法について説明する。まず、本実施形態の光ディスク装置１において、透明カバー層２０ｂの厚みが異なる光ディスク２０が判別される原理について説明する。
【００３４】
図３は、本実施形態の光ディスクの判別方法における判別原理を説明するための図である。図３（ａ）に示すように、コイル１２に給電を行うと磁場が発生し、例えば図中に破線矢印で示すような磁力線が発生する。この状態で、光ディスク２０を回転すると、レンツの法則により、光ディスク２０の記録層２０ａ（記録層２０ａには、例えばＡｌやＡｇの合金から成る反射層が含まれる。）に渦電流が発生する。そして、この渦電流は磁束の変化を妨げる向きに流れるために、コイル１２を境にして、光ディスク２０の回転方向の上流側と下流側では渦電流の向きが逆となる。
【００３５】
このような渦電流が発生すると磁場が生じる。そして、この渦電流によって生じる磁場がコイル１２によって生じる磁場と作用し、結果として、図３（ｂ）に示すようにコイル１２は光ディスク２０の回転方向と同方向の力を受けることとなる。なお、コイル１２より上流側では、渦電流によって生じる磁場はコイル１２によって生じる磁場と反発するように発生し、コイル１２より下流側では、渦電流によって生じる磁場はコイル１２によって生じる磁場と引き合うように発生する。
【００３６】
以上のように、コイル１２に磁場を発生させた状態で光ディスク２０を回転させると（「光ディスク２０を回転した状態でコイル１２に磁場を発生させると」でも同じ）、コイル１２は一定方向の圧力を受けることとなるが、この圧力は、コイル１２から記録層２０ａまでの距離によって異なった大きさとなる。すなわち、ＢＤ、ＤＶＤ及びＣＤは、透明カバー層２０ｂの厚みが異なるために、コイル１２から記録層２０ａまでの距離が異なったものとなる。このために、光ディスク２０の種類によってコイル１２が受ける圧力は異なったものとなる。従って、コイル１２が受ける圧力の違いを利用して、ＢＤ、ＤＶＤ及びＣＤの判別が可能となる。
【００３７】
以下に、ＢＤ、ＤＶＤ及びＣＤの場合を例に、コイル１２が受ける圧力の差が、どの程度のものとなるかについて説明する。説明に際して、図３（ａ）におけるコイル１２と光ディスク２０の表面との間の距離は、０．１ｍｍとし、ＢＤ、ＤＶＤ、ＣＤの透明カバー層２０ｂの厚みは、それぞれ、０．２ｍｍ、０．６ｍｍ、１．２ｍｍとする。
【００３８】
図４は、記録層２０ａの所定の複数位置における磁束密度の比を、ＢＤ、ＤＶＤ及びＣＤについて算出した結果を示すグラフである。ここで、所定の位置は、記録層２０ａのコイル直下の位置を基準として決定しており、本実施形態では、コイル直下の位置から光ディスク２０の回転方向に対して上流側がマイナス方向、下流側がプラス方向としている。また、縦軸の磁束密度の比については、ＢＤの記録層２０ａのコイル直下位置における磁束密度を１０００とし、それに対する比で表している。なお、このように磁束密度を比で表すのは、磁束密度はコイルの形状等によって変化することを考慮するものである。磁束密度は距離の二乗に反比例するために、ＢＤ、ＤＶＤ、ＣＤの順に、記録層２０ａの位置における磁束密度は小さくなっている。また、コイル直下からの距離が遠いほど、磁束密度は小さくなる。
【００３９】
光ディスク２０が回転している場合、レンツの法則によって磁束の変化を妨げる向きに起電力が生じ、この起電力は以下の式で与えられる。
【００４０】
【数１】
2008276853.tif 000003
Ｖ：起電力
Ｎ：コイルの巻き数
Φ：コイルを貫く磁束
【００４１】
従って、磁束を時間で微分することにより起電力を算出できる。このことから、図４の磁束密度の比を示すグラフを時間微分すると、記録層２０ａの所定の複数位置で発生する起電力の比を、ＢＤ、ＤＶＤ及びＣＤについて算出することができる。図５は、記録層２０ａの所定の複数位置で発生する起電力の比を、ＢＤ、ＤＶＤ及びＣＤについて算出した結果を示すグラフであり、光ディスク２０が一定の速度で回転していることを前提に、図４を時間微分して得たものである。
【００４２】
この起電力によって上述の渦電流が生じ、コイル１２に圧力が加わる。この場合、コイル１２が受ける圧力は、以下の式で与えられる。
【００４３】
【数２】
2008276853.tif 000004
Ｆ：コイル１２が受ける圧力の合計
Ｓ：コイル１２からの磁場で渦電流が発生する面積
Ｆａ：コイル１２が単位面積から受ける圧力
【００４４】
そして、渦電流が発生する記録層２０ａの各位置からコイル１２が受ける圧力は、渦電流を発生する起電力に比例して距離の２乗に反比例することも考慮して、各光ディスク２０（ＢＤ、ＤＶＤ、ＣＤ）の場合にコイル１２に加わる圧力に関して、その比を求めることができる。ＢＤの場合にコイル１２に加わる圧力を１とした時の比を表１に示す。
【００４５】
【表１】
2008276853.tif 000005
【００４６】
以上のように、ＢＤ、ＤＶＤ、ＣＤでコイル１２に発生する圧力の大きさは、大きく異なる。従って、コイル１２の加わる圧力を圧力センサで検知し、予め定めておいた閾値を基に、この３種類の光ディスク２０の判別を行える。なお、閾値の決定は、事前に実験データを収集し、それに基づいて決定すれば良い。
【００４７】
次に、光ディスク装置１において、装置内に挿入されている光ディスク２０の種類を判別する手順について、図６を参照しながら説明する。なお、図６は、光ディスク装置１において、装置内に挿入されている光ディスク２０の種類を判別する手順を示すフローチャートである。
【００４８】
光ディスク装置１に光ディスク２０が挿入されると（ステップＳ１）、コイル１２に所定の電流が流されて磁場を発生する（ステップＳ２）。次に、光ディスク２０の回転が開始され（ステップＳ３）、予め定められている所定の回転数となるまで光ディスク２０の回転数が上げられる（ステップＳ４）。
【００４９】
なお、本実施形態においては、コイル１２に給電後、光ディスク２０の回転を行う構成となっているが、光ディスク２０の回転数が所定の回転数となった後に、コイル１２に給電する構成としても構わない。
【００５０】
光ディスク２０の回転数が所定の回転数となると、圧力センサ１３を用いてコイル１２に加わる圧力が検出される（ステップＳ５）。そして、システム制御部１８によって、検出された圧力値と、予めＲＯＭ１６等に記録されるデータとの比較が行われる。具体的には、まず、検出された圧力値がＢＤの圧力範囲内か否かについて確認される（ステップＳ６）。これにより、検出された圧力値がＢＤの圧力範囲内であれば、光ディスク装置１に挿入された光ディスク２０がＢＤであると判別し（ステップＳ７）、判別を終了する。
【００５１】
検出された圧力値がＢＤの圧力範囲内でない場合には、光ディスク装置１に挿入された光ディスク２０はＢＤでないと判別し、次に、ＤＶＤの圧力範囲内か否かが確認される（ステップＳ８）。これにより、検出された圧力値がＤＶＤの圧力範囲内であれば、光ディスク装置１に挿入された光ディスク２０がＤＶＤであると判別し（ステップＳ９）、判別を終了する。一方、ＤＶＤの圧力範囲にない場合には、ＢＤでもＤＶＤでもないので、光ディスク装置１に挿入された光ディスク２０がＣＤであると判別（ステップＳ１０）し、判別を終了する。
【００５２】
以上によって、光ディスク装置１に挿入された光ディスク２０が、ＢＤ、ＤＶＤ、ＣＤのいずれかが判別でき、対物レンズ２１の移動を行いながら光ディスク２０の種類を判別していた従来の方法に比べ、短時間でＢＤ、ＤＶＤ、ＣＤの判別を行える。なお、以上に示した光ディスク２０の判別手順においては、ＢＤ、ＤＶＤ、ＣＤの順に光ディスク２０の種類を検証する構成としているが、この順に限らないことは言うまでもない。
【００５３】
また、以上においては、光ディスク２０の回転が一定となってからコイル１２に加わる圧力を圧力センサ１３で測定し、圧力センサ１３で検出される圧力の大きさで光ディスク２０の種類を判別する構成とした。しかし、これに限定される趣旨ではなく、本発明の目的を逸脱しない範囲で種々の変更が可能である。すなわち、例えば、光ディスク２０の回転数を加速している段階の圧力を検出し、光ディスク２０の判別を行っても構わない。これについて、以下に説明する。
【００５４】
コイル１２に所定の電流を流して磁場を発生した状態で、光ディスク２０の回転速度をあげると、コイル１２に加わる圧力も光ディスク２０の回転数アップに比例して増加する。これは、光ディスク２０の回転数が速くなると、磁束の変化量が大きくなるために、レンツの法則によって生じる起電力が大きくなるからである。なお、この様子について、図７に示している。図７は、光ディスクの回転数とコイルに加わる圧力の関係を示した概念図である。
【００５５】
そして、図７に示すように、透明カバー層２０ｂの厚みが薄いほど（コイル１２から記録層２０ａまでの距離が短いほど）、回転数アップに対するコイル１２に加わる圧力変化の変化率が大きい。このために、光ディスク２０の回転数を加速している段階において、回転数が異なる所定の２つの回転数の場合の圧力を圧力センサ１３で測定し、圧力の変化率を求めることによって光ディスク２０の種類を判別する構成とすることもできる。
【００５６】
また、以上に示した実施形態においては、コイル１２及び圧力センサ１３の位置を光ピックアップ４上に設ける構成としたが、これに限定される趣旨ではなく、本発明の目的を逸脱しない範囲で種々の変更が可能である。すなわち、例えば、光ディスク２０を配置するディスクトレイ（図示せず）上にコイル１２及び圧力センサ１３を配置する構成としたり、場合によっては、光ディスク２０の裏面側（レーザ光が入射する側と反対側）にコイル１２及び圧力センサ１３を配置する構成としたりしても良い。ただし、コイル１２及び圧力センサ１３を光ピックアップ４に配置した場合には、コイル１２及び圧力センサ１３を光ディスク２０の反り等を検知するためにも用いることができるという利点を有する。
【００５７】
また、本実施形態においては、コイル１２の向きを、記録層２０ａに対して垂直な方向に磁場を発生するように配置しているが、このような状態でなくても、透明カバー層２０ａの厚みが異なる光ディスク２０の判別ができれば、本実施形態の状態から傾いていても構わない。ただし、コイル１２の向きを、記録層２０ａに対して垂直な方向に磁場を発生するように配置した方が、光ディスク２０の判別時にコイル１２によって発生する磁力を効率良く使用できるので好ましい。
【００５８】
その他、本実施形態では、ＢＤ、ＤＶＤ、及びＣＤの３種類について光ディスクの種類を判別する構成としているが、これに限らず、本発明は透明カバー層の厚み（光ディスクの表面から記録層までの距離）が異なる光ディスクの種類判別に広く適用できるのは言うまでもない。
【産業上の利用可能性】
【００５９】
本発明の光ディスクの判別方法は、透明カバー層の厚み（光ディスクの表面から記録層までの距離）が異なる光ディスクの種類判別に広く適用できるために、複数種類の光ディスクを互換する光ディスク装置に広く適用できて有用である。
【図面の簡単な説明】
【００６０】
【図１】は、本実施形態の光ディスク装置の構成を示すブロック図である。
【図２】は、本実施形態の光ディスク装置に備えられる光ピックアップの構成を示す概略平面図である。
【図３】は、本実施形態の光ディスクの判別方法における判別原理を説明するための図である。
【図４】は、記録層の所定の複数位置における磁束密度の比を、ＢＤ、ＤＶＤ及びＣＤについて算出した結果を示すグラフである。
【図５】は、記録層の所定の位置で発生する起電力の比を、ＢＤ、ＤＶＤ及びＣＤについて算出した結果を示すグラフである。
【図６】は、本実施形態の光ディスク装置において、装置内に挿入されている光ディスクの種類を判別する手順を示すフローチャートである。
【図７】は、光ディスクの回転数とコイルに加わる圧力の関係を示した概念図である。
【符号の説明】
【００６１】
１          光ディスク装置
４          光ピックアップ
１２        コイル
１３        圧力センサ
２０        光ディスク
２０ａ      記録層
２０ｂ      透明カバー層
【図１】
2008276853.tif 000006
【図２】
2008276853.tif 000007
【図３】
2008276853.tif 000008
【図４】
2008276853.tif 000009
【図５】
2008276853.tif 000010
【図６】
2008276853.tif 000011
【図７】
2008276853.tif 000012